(57)【特許請求の範囲】
【請求項１】
床パネル１と、床パネル１の四隅コーナに起立させた段積み用の脚体２と、左側前後一対の脚体２，２間に回転自在に軸支された左パネル３と、同じく右側前後一対の脚体２，２間に回転自在に軸支された右パネル４と、前側左右一対の脚体２，２間に回転自在に軸支させた二つ折り式の前パネル５と、同じく後側左右一対の脚体２，２間に回転自在に軸支させた二つ折り式の後パネル６とからなり、前後パネル５，６を二つ折りにしながら、底パネル１上に重ねて折り畳み、次いで前後パネル５，６上に左パネル３と右パネル４を重ねて折り畳むボックスパレットであって、上記左右パネル３，４の上部にクレーンのワイヤに吊持させる吊り金具７を取り付け、更に左右パネル３，４両端上部と前後パネル５，６の上部間に第１のロック機構Ａを設け、左右パネル３，４と前後パネル５，６との間に第２のロック機構Ｂを設け、更に左パネル３の一端と前側左の脚体２との間および右パネル４の一端と前側右の脚体２との間にそれぞれ第３のロック機構Ｃを設け、上記第１，第２，第３のロック機構Ａ，Ｂ，Ｃをロックすることにより上記左右パネル３，４と前後パネル５，６を起立して箱状にするボックスパレットにおいて、第１のロック機構Ａが前パネル５および後パネル６の両端部上に左右スライド自在に嵌合するキャップ８と、左パネル３と右パネル４の両端部に上下移動自在に差し込まれて常時スプリング１０で上方に向けて附勢されているロックピン９とで構成され、上記ロックピン９を上記キャップ８に形成の孔１１に挿入することを特徴とするボックスパレット。
【請求項２】
脚体２に対する左パネル３の枢着点より右パネル４の枢着点を上方にずらしている請求項１に記載のボックスパレット。
【請求項３】
第２のロック機構Ｂが前パネル５および後パネル６の両端に回転自在に設けられて左パネル３と右パネル４の両端外面に着脱自在に係合する支持片１３で構成されている請求項１又は請求項２に記載のボックスパレット。
【請求項４】
第３のロック機構Ｃが左パネル３および右パネル４の一端又は両端に回転自在に設けられて脚体２の上端に着脱自在に係合するフック１５で構成されている請求項１、請求項２又は請求項３に記載のボックスパレット。
【請求項５】
各脚体２の下端にソケット１８が一体に設けられ、左パネル３および右パネル４が前後一対の脚体２、２間に固定した下側固定パネル２３と、各脚体２、２に回転自在に軸支した上方の回転パネル２４とからなり、回転パネル２４が前後一対の枠体１９、１９と上下一対の枠体２０、２１と、各枠体１９、２０、２１の内側に固定した金網とからなり、各枠体１９、１９の上端部１９ａ、１９ａを上方の枠体２０より上方に起立させている請求項１、請求項２、請求項３又は請求項４に記載のボックスパレット。
【請求項６】
前パネル５および後パネル６が左右一対の脚体２、２に設けた溝付きのブラケットＤに回転自在に支持された下方の回転パネル２５と、下方の回転パネル２５の上部にヒンジＨを介して回転自在に連結した上方の回転パネル２６とで構成されている請求項１、請求項２、請求項３、請求項４又は請求項５に記載のボックスパレット。
【請求項７】
下方の回転パネル２５の左右両端にピン２７を設け、ブラケットＤが上方に開放された屈曲した溝２８を備え、上記ピン２７を上記溝２８内に回転自在に嵌合すると共に当該溝２８から抜き出して下方の回転パネル２５を上方に引き抜くようにしている請求項６に記載のボックスパレット。
【発明の詳細な説明】
【技術分野】
【０００１】
本発明は、折り畳み自在なボックスパレットに関し、特に、フォークリフトやクレーンで搬送できるボックスパレットに関する。
【背景技術】
【０００２】
一般に、電子部品等の部品を積み込んで組立工場に搬送したり、あるいは建築・土木工事用の材料、部品を積み込んで工事現場に搬送したり、機械工場で製作した機械部品を他の組立工場に移送させる場合に箱状のボックスパレットを利用している。
【０００３】
このボックスパレットは、例えば、特許文献１に示すように金網状に成形した底床パネルと、この底床パネルの前後，左右に折り畳み自在に起立させた前後パネルと左右パネルと、底床パネルの四隅に設けた段積み用の脚体とからなるものが開発されている。
【０００４】
このボックスパレットは、箱状に各パネルを起立して組立てた時内部に部品，建築材料等を収容し、不使用時には各パネルを折り畳んでコンパクトに収容できるようにされている。
【０００５】
使用時には、普通、箱状にしてフォークリフトで所定の場所に移送され、又はトラック等に乗せられて搬送されるとし、又一度に多数搬送できるように脚体を下段のボックスパレットに重ねて段積みできるようになっている。 
【特許文献１】特開２００５−４７５７５号公報（図面）
【発明の開示】
【発明が解決しようとする課題】
【０００６】
上記従来のボックスパレットとしては、特に、機能上の欠陥があるわけではないが、次のような不具合の改善が望まれている。
【０００７】
第１に、上記のボックスパレットは、フォークリフトや車両で搬送されるものであるからある工事現場においてクレーンで吊り上げたり、吊り下げる工夫が完全になされていない。
【０００８】
そのため、クレーンで吊り上げるような場合には他に特別な工夫をその都度施す必要があり、又、パネルを形成する金網にクレーンのフックを引掛けるためパネルが破損するおそれがある。
【０００９】
第２に、使用時に箱形に組立てるが、この箱形を維持させるためにはしっかりとしたロック機構が必要であるがその手段が必ずしも十分なものではなく、箱状態が維持できず、場合によっては変形してしまうおそれがある。
【００１０】
第３に、箱状に組付けた前後左右のパネルを分解して取りはずし出来ないから箱状に組み立てたまま内部に荷物を出し入れする必要があり、その操作が面倒である。
【００１１】
そこで、本発明の目的は、フォークリフトのみならずクレーンを利用しても搬送でき、箱状に組立てた時その形状を確実に保持できるロック機構を設けており、一部のパネルを外して内部に荷物を簡単に出し入れできるようにしたボックスパレットを提供することである。
【課題を解決するための手段】
【００１２】
上記の目的を達成するため、本発明の手段は、床パネル１と、床パネル１の四隅コーナに起立させた段積み用の脚体２と、左側前後一対の脚体２，２間に回転自在に軸支された左パネル３と、同じく右側前後一対の脚体２，２間に回転自在に軸支された右パネル４と、前側左右一対の脚体２，２間に回転自在に軸支させた二つ折り式の前パネル５と、同じく後側左右一対の脚体２，２間に回転自在に軸支させた二つ折り式の後パネル６とからなり、前後パネル５，６を二つ折りにしながら、底パネル１上に重ねて折り畳み、次いで前後パネル５，６上に左パネル３と右パネル４を重ねて折り畳むボックスパレットであって、上記左右パネル３，４の上部にクレーンのワイヤに吊持させる吊り金具７を取り付け、更に左右パネル３，４両端上部と前後パネル５，６の上部間に第１のロック機構Ａを設け、左右パネル３，４と前後パネル５，６との間に第２のロック機構Ｂを設け、更に左パネル３の一端と前側左の脚体２との間および右パネル４の一端と前側右の脚体２との間にそれぞれ第３のロック機構Ｃを設け、上記第１，第２，第３のロック機構Ａ，Ｂ，Ｃをロックすることにより上記左右パネル３，４と前後パネル５，６を起立して箱状にするボックスパレットにおいて、第１のロック機構Ａが前パネル５および後パネル６の両端部上に左右スライド自在に嵌合するキャップ８と、左パネル３と右パネル４の両端部に上下移動自在に差し込まれて常時スプリング１０で上方に向けて附勢されているロックピン９とで構成され、上記ロックピン９を上記キャップ８に形成の孔１１に挿入することを特徴とするものである。
【００１３】
この場合、脚体２に対する左パネル３の枢着点より右パネル４の枢着点を上方にずらしているのが好ましい。
【００１４】
同じく、第１のロック機構Ａが各前パネル５と後パネル６の両端部上に左右スライド自在に嵌合するキャップ８と、左パネル３と右パネル４の両端部に上下移動自在に差し込まれて常時スプリング１０で上方に向けて附勢されているロックピン９とで構成され、上記ロックピン９を上記キャップ８の上壁に形成した孔１１に挿入するようにするのが好ましい。
【００１５】
同じく、第２のロック機構Ｂが前パネル５と後パネル６の両端に回転自在に設けられて左パネル３と右パネル４の両端外面に着脱自在に係合する支持片１３とで構成されているのが好ましい。
【００１６】
同じく、第３のロック機構Ｃが左パネル３と右パネル４の一端又は両端に回転自在に設けられて脚体２の上端に着脱自在に係合するフック１５で構成されているのが好ましい。
【００１７】
同じく、各脚体２の下端にソケット１８が一体に設けられ、左パネル３と右パネル４が前後一対の脚体２、２間に固定した下側固定パネル２３と、各脚体２、２に回転自在に軸支した上方の回転パネル２４とからなり、回転パネル２４が前後一対の枠体１９、１９と上下一対の枠体２０、２１と、各枠体１９、２０、２１の内側に固定した金網とからなり、各枠体１９、１９の上端部１９ａ、１９ａを上方の枠体２０より上方に起立させているのが好ましい。
【００１８】
同じく、前パネル５と後パネル６が左右一対の脚体２、２に設けた溝付きのブラケットＤに回転自在に支持された下方の回転パネル２５と、下方の回転パネル２５の上部にヒンジＨを介して回転自在に連結した上方の回転パネル２６とで構成されているのが好ましい。
【００１９】
この場合、下方の回転パネル２５の左右両端にピン２７を設け、ブラケットＢが上方に開放された屈曲した溝２８を備え、上記ピン２７を上記溝２８内に回転自在に嵌合すると共に当該溝２８から抜き出して下方の回転パネル２５を上方に引き抜くようにしていても良い。
【発明の効果】
【００２０】
請求項１の発明によれば、次の効果が得られる。
１）左右パネル３，４と前後パネル５，６が折り畳みできるから、不使用時にコンパクトに全体を折り畳み一度に多数のボックスパレットを重ねて搬送し、格納できる。
２）右パネル３、４又は前後パネル５、６の上部に吊り金具が取り付けられているからフックを介してワイヤをこの吊り金具に引掛け、クレーンでボックスパレットを所定の場所に移送できる。この際、フックを金網状のパネルに引掛けることが無いから、パネルを破損させるのを防止できる。
３）左右パネル３、４と前後パネル５、６を起立して箱状に組立てたとき、左右パネル３、４と前後パネル５、６との間に設けた第１のロック機構Ａ、第２のロック機構Ｂ、第３のロック機構Ｃで箱状態を維持しているから、ボックスパレット自体が使用中に変形したり、折り畳まれるのを防止できる。
４）第１のロック機構Ａがキャップ８の孔１１に差込まれるロックピン９とからなり、ロックピン９が常時スプリング上方に附勢されているからロックピン９の弛み、回転、ガタの発生を防止できる。
【００２１】
請求項２の発明によれば、左パネル３と右パネル４の枢着点の高さを違えているから、折り畳まれた前パネル３上に順次右パネル４を重ねて折り畳みできる。
【００２３】
請求項３の発明によれば、第２のロック機構Ｂが回転自在な支持片１３を使用しているからロック操作やロック解除操作が容易である。
【００２４】
請求項４の発明によれば、第３のロック機構Ｃ回転自在なフック１５で構成されているからロックの操作、解除操作が容易である。
【００２５】
請求項５の発明によれば、左右パネル３、４のうち上方の回転パネル２４が回転自在に脚体２に軸支されているから、この上方の回転パネル２４を折り畳み出来、又、脚体２にソケット１８が設けられ且つ枠体１９、１９の上端部を上方の枠体２０より上方に起立させているから、下段のボックスパレットの枠体１９上端部に上段のボックスパレットのソケット１８を嵌合させることにより上下方向に沿って弛むことなく多段に複数のボックスパレットを段積みできる。
【００２６】
請求項６および請求項８の発明によれば、前後パネル５、６が下方の回転パネル２５と上方の回転パネル２６とがヒンジＨを介して連結して構成されているから、両者を分解することなく二重に折り畳んでコンパクト化を図れ、また下方の回転パネル２５をブラケットＤから外すことが出来るから前パネル５又は後パネル６又は両者を取り外して出入口を作りここから荷物を入れたり出したりすることが出来、荷物の出し入れ作業が容易でスムースに行なうことが出来る。
【発明を実施するための最良の形態】
【００２７】
以下、本発明の実施の一例を図にもとづいて説明する。
本発明のボックスパレットは、図１に示すように、床パネル１と、床パネル１の四隅コーナに起立させた段積み用の脚体２と、左側前後一対の脚体２、２間に回転自在に軸支された左パネル３と、同じく右側前後一対の脚体２，２間に回転自在に軸支された右パネル４と、前側左右一対の脚体２，２間に回転自在に軸支させた二つ折り式の前パネル５と、同じく後側左右一対の脚体２，２間に回転自在に軸支させた二つ折り式の後パネル６とからなり、前後パネル５、６を二つ折りにしながら、底パネル１上に重ねて折り畳み、次いで前後パネル５、６上に左パネル３と右パネル４を重ねて折り畳むものである。
【００２８】
そして、上記左右パネル３、４の上部にクレーンのワイヤに吊持させる吊り金具７を取り付け、更に左右パネル３，４両端上部と前後パネル５，６の上部間に第１のロック機構Ａを設け、左右パネル３、４と前後パネル５、６との間に第２のロック機構Ｂを設け、更に左パネル３の一端と前側左の脚体２との間および右パネル４の一端と前側右の脚体２との間にそれぞれ第３のロック機構Ｃを設け、上記第１、第２、第３のロック機構Ａ、Ｂ、Ｃをロックすることにより上記左右パネル３、４と前後パネル５，６を起立して箱状にするものである。
【００２９】
更に、前後パネル５、６の脚体２に対する枢着点より左パネル３の枢着点を高くし、同じく左パネル３の枢着点より右パネル４の枢着点を後述する左パネル３における上方の回転パネル２４の厚みと同一寸法だけ上方にずらし、順次前後パネル５，６上に左パネル３を重ねて折り畳み、次いで左パネル３上に右パネル４を折り畳んで重ねることが出来るようになっている。
【００３０】
第１のロック機構Ａは図１、図２、図３、図５、図６から分かるように、前パネル５と後パネル６の両端部上に左右スライド自在に嵌合するキャップ８と、左パネル３と右パネル４の両端部に上下移動自在に差し込まれて常時スプリング１０で上方に向けて附勢されているロックピン９とで構成され、上記ロックピン９を上記キャップ８の上壁に形成した孔１１に挿入するようになっている。
キャップ８は断面コ字状のキャップ本体８Aとキャップ本体８Aの上部に形成した孔１１と、キャップ本体８Aの両サイドに形成した一対の支持片８Ｂ、８Ｂと、キャップ本体８Aの上部に取り付けられながら前後パネル５、６の上部に形成した長孔１２にスライド自在に挿入したガイドピン８Ｃとから構成されている。
ロックピン９はU字状に形成されてプッシュロッド９Aと係止ロッド９Ｂとからなり、これは左右パネル３，４の上部枠体２０に形成した孔に上下移動自在に挿入されると共に支持枠９Ｃ内に保持されたスプリング１０で枠体２０上方に押し出されるようになっている。
これにより、作業者が指でプッシュロッド９Aと係止ロッド９Ｂをスプリング１０の附勢力に抗して押し下げておき、この状態でキャップ８をガイドピン８Ｃと長孔１２を介してスライドさせて孔１１を係止ロッド９Ｂに対向させ、且つ支持片８Ｂを左右パネル３，４の両端側面、即ち枠体１９の側面に当接させ、この状態でプッシュロッド９Aに対する押し込みを中止するとスプリング１０の復元力で係止ロッド９Ｂが押し上げられて孔１１に侵入する。
この結果、前後パネル５、６が左右パネル３、４の端部たる枠体１９に支持片Ｂで支えられて回転が阻止され、箱状態を維時させる。
【００３１】
第２のロック機構Ｂは図１、図２、図４、図７、図８に示すように、前パネル５と後パネル６の両端に軸１３Aを介して回転自在に設けられて左パネル３と右パネル４の両端外面および上面に着脱自在に係合する支持片１３とストップ片１４で構成されている。
これにより、軸１３Aを介して支持片１３を回転し、これを左右パネル３、４の両端枠体１９の外面に当接することで前後パネル５、６の回転を防止し、箱状態を維時するようになっている。
尚、前後パネル５、６の両端内側には上記支持片と協働して枠体１９を挟む挟持片１３Ｃが設けられている。
【００３２】
第３のロック機構Ｃは、図１、図２、図９左パネル３と右パネル４の一端又は両端における枠体１９の内側に軸１７を介して回転自在に設けられ且つ枠体１９に形成した長孔１６から外部に突出して脚体２の上端に着脱自在に係合するフック１５で構成され、フック１５を脚体２に引っ掛けたとき左右パネル３、４の回転を阻止して箱状態を維時するようになっている。
【００３３】
更に、図１、図２に示すように、各脚体２の下端にソケット１８が一体に設けられている。
また、左パネル３と右パネル４が前後一対の脚体２、２間に下方に固定した下側固定パネル２３と、この固定パネル２３より上方であって、各脚体２、２に回転自在に軸支した上方の回転パネル２４とからなり、固定パネル２３より下方、言い換えれば、床パネル１より下方には空間Ｐが形成されていて、フォークの爪を床パネル１の下方に差し込めるようになっている。
左右パネル３、４において、上方の回転パネル２４は前後一対の枠体１９、１９と上下一対の枠体２０、２１と、各枠体１９、２０、２１の内側に固定した金網とからなり、各枠体１９、１９の上端部１９ａ、１９ａを上方の枠体２０より上方に起立させている。
【００３４】
図１、図２に示すように、前パネル５と後パネル６が左右一対の脚体２、２に設けた溝付きのブラケットＤに回転自在に支持された下方の回転パネル２５と、下方の回転パネル２５の上部にヒンジＨを介して回転自在に連結した上方の回転パネル２６とで構成されている。
ヒンジＨは図２、図８から分かるように、下方の一対の挟持片Ｈ１と、上方の取り付け片Ｈ２と両者を枢着させる軸Ｈ３とで構成されている。
さらに、図２、図８、図９、図１０に示すように、前後パネル５、６において、下方の回転パネル２５の左右両端にピン２７を設け、ブラケットＢが上方に開放された屈曲した溝２８を備え、上記ピン２７を上記溝２８内に回転自在に嵌合すると共に当該溝２８から抜き出して下方の回転パネル２５を上方に引き抜くようにしている。
これにより、例えば、図１２に示すように、前パネル５を引き抜いて外すことによるボックスパレットの前側を開放し、床パネル１上の水平板にのせた工具、建材、その他の荷物を手動で、又はフォークＦから出し入れ出来るようにしている。
【００３５】
本発明のボックスパレットは、図１１(A)の箱状態から図１１（Ｂ）に示すように、前後パネル５、６をヒンジＨを介して折り畳んで床パネル１上に重ね、次いで、図１１（Ｃ）に示すように、左パネル３を折り畳んで前後パネル５、６上に重ね、最後に右パネル４を折り畳んで左パネル３状に重ねてコンパクトにする。
このようにコンパクトにしたボックスパレットは単独のみなるず、多数重ねて格納、搬送できる。
【００３６】
ところで、本発明のボックスパレットは、フォークリフトＦのフォークを床パレット１の下部に差し込んで持ち上げながら所定の場所に搬送できる。
【００３７】
他方、単一のボックスパレットの吊り金具７にクレーンに吊り下げたワイヤを引掛けて吊り上げながら所定の位置に移送する。
又、二段に段積みしたボックスパレットを一度にクレーンで搬送する場合には脚体２のソケット１８と枠体１９の上端部１９ａを嵌合させた状態で上記ワイヤを下段のボックスパレットの吊り金具７に引掛けるようにするものである。
【図面の簡単な説明】
【００３８】
【図１】本発明の一実施の形態にかかるボックスパレットの平面図である。
【図２】図１の分解斜視図である。
【図３】図１における第１のロック機構部分の拡大斜視図である。
【図４】図１における第２のロック機構部分の拡大斜視図である。
【図５】第１のロック機構の拡大斜視図である。
【図６】図５の正面図である。
【図７】第２のロック機構の拡大斜視図である。
【図８】第２のロック機構の作動作動状態を示す斜視図である。
【図９】第３のロック機構の作動状態を示す斜視図である。
【図１０】前パネルを取り付けるブラケットの斜視図である。
【図１１】（A）（Ｂ）（Ｃ）（Ｄ）は折り畳み工程を示す略示斜視図である。
【図１２】フォークで荷物を出入れする状態の斜視図である。
【符号の説明】
【００３９】
１ 床パネル
２ 脚体
３ 左パネル
４ 右パネル
５ 前パネル
６ 後パネル
７  吊り金具
Ａ  第１の ロック機構
Ｂ  第２のロック機構
Ｃ  第３のロック機構
【図１】
0005207176.tif 000002
【図２】
0005207176.tif 000003
【図３】
0005207176.tif 000004
【図４】
0005207176.tif 000005
【図５】
0005207176.tif 000006
【図６】
0005207176.tif 000007
【図７】
0005207176.tif 000008
【図８】
0005207176.tif 000009
【図９】
0005207176.tif 000010
【図１０】
0005207176.tif 000011
【図１１】
0005207176.tif 000012
【図１２】
0005207176.tif 000013